【手続補正書】
【提出日】平成20年6月18日(2008.6.18)
【手続補正１】
【補正対象書類名】明細書
【補正対象項目名】特許請求の範囲
【補正方法】変更
【補正の内容】
【特許請求の範囲】
【請求項１】  長手方向軸線を有する取っ手と、
少なくとも１つの刃先を備えた少なくとも１つの刃を担持し、前記少なくとも１つの刃先と平行な横方向軸線を有する髭剃りヘッドと、
前記取っ手を前記髭剃りヘッドに可動的に結合させるコネクタ組立体と、
前記コネクタ組立体から間隔をおいた状態で前記髭剃りヘッドと前記取っ手との間に位置する付勢要素と、を有し、
前記コネクタ組立体は、前記髭剃りヘッドがその横方向軸線を前記取っ手の長手方向軸線に対して一定の配向に維持する休止位置から離脱したり休止位置に位置したりするように前記取っ手に近づいたりそれから遠ざかったりする第１の運動を行うことを可能にし、
前記コネクタ組立体の少なくとも一部分は、前記取っ手への前記髭剃りヘッドの結合を可能にするように弾性的に撓み可能であり、
前記付勢要素は、前記髭剃りヘッドを前記第１の運動に対抗して休止位置に付勢することを特徴とするかみそり。
【請求項２】  前記コネクタ組立体は、更に、前記髭剃りヘッドが休止位置から離脱したり休止位置に位置したりするように前記横方向軸線と平行なピボット軸線の周りで両方向に回動する第２の運動を行うことを可能にする、請求項１記載のかみそり。
【請求項３】  前記付勢要素は、前記第１の運動及び前記第２の運動に対抗して、前記髭剃りヘッドを休止位置に付勢する、請求項２記載のかみそり。
【請求項４】  前記コネクタ組立体は、少なくとも１つの挿入要素と、前記少なくとも１つの挿入要素を受け入れるように形作られた少なくとも１つの切欠きと、を有し、前記切欠きは、前記第１の運動及び前記第２の運動を可能にするために、前記少なくとも１つの挿入要素の寸法よりも大きい寸法を有する、請求項２記載のかみそり。
【請求項５】  前記少なくとも１つの挿入要素は、ピンである、請求項４記載のかみそり。
【請求項６】  前記取っ手、前記挿入要素及び前記付勢要素は、単一部品をなす、請求項４記載のかみそり。
【請求項７】  更に、前記取っ手に結合されたネック部品を有し、前記ネック部品は、前記少なくとも１つの挿入要素を含む、請求項４記載のかみそり。
【請求項８】  前記ネック部品は、前記付勢要素を含む、請求項７記載のかみそり。
【請求項９】  前記付勢要素は、少なくとも１つの板ばねである、請求項１記載のかみそり。
【請求項１０】  前記付勢要素は、ばね負荷舌部である、請求項１記載のかみそり。
【請求項１１】  前記第１の運動中、前記髭剃りヘッドを動かして休止位置から離脱させるとき、前記横方向軸線は、前記長手方向軸線に対して斜めである、請求項１記載のかみそり。
【請求項１２】  前記第１の運動中、前記髭剃りヘッドが休止位置から離脱しているとき、前記横方向軸線は、前記長手方向軸線に対して垂直である、請求項１記載のかみそり。
【請求項１３】  前記髭剃りヘッドが休止位置から離脱しているとき、前記横方向軸線は、前記髭剃りヘッドに加えられた少なくとも１つの力の程度及び位置に応じて、前記長手方向軸線に対して垂直又は斜めになる、請求項１記載のかみそり。
【請求項１４】  第１の端部及びそれから間隔をおいた第２の端部を有し、前記第１の端部と前記第２の端部との間に延びる長手方向軸線を有する取っ手と、
少なくとも１つの刃先を備えた少なくとも１つの刃を担持し、前記少なくとも１つの刃先と平行な横方向軸線を有する髭剃りヘッドと、
前記取っ手に設けられたヘッド係合要素及び前記髭剃りヘッドに設けられた取っ手係合要素を有するコネクタ組立体と、を有し、前記ヘッド係合要素及び前記取っ手係合要素は、前記取っ手を前記髭剃りヘッドに可動的に結合し、
更に、前記髭剃りヘッドを休止位置に付勢する付勢要素と、を有し、
前記ヘッド係合要素及び前記取っ手係合要素は、前記髭剃りヘッドが前記取っ手に近づいたりそれから遠ざかったりする第１の運動を行うことを可能にするように、互いに対して移動し、
前記ヘッド係合要素及び前記取っ手係合要素は、別の結合要素を必要とすることなしに結合するように互いに係合する形状及び構成を有することを特徴とするかみそり。
【請求項１５】  前記ヘッド係合要素及び前記取っ手係合要素の一方は、少なくとも１つのポストを含み、前記ポストは、それから延びるピンを有し、前記ヘッド係合要素及び前記取っ手係合要素の他方は、前記少なくとも１つのピンを受け入れる切欠きを有し、
前記切欠きは、前記髭剃りヘッドを前記取っ手に近づけたりそれから遠ざけたりする運動及び前記髭剃りヘッドを前記横方向軸線と平行なピボット軸線の周りで両方向に回動させることを可能にするように、前記切欠きに受け入れられる前記ピンの寸法よりも大きい寸法を有している、請求項１４記載のかみそり。
【請求項１６】  前記付勢要素は、複数の前記ポスト間に設けられた少なくとも１つの板ばねであり、前記少なくとも１つの板ばねの少なくとも１つの自由端部が、前記長手方向軸線に隣接し、その少なくとも１つの固定端部が、前記ポストに隣接する、請求項１５記載のかみそり。
【請求項１７】  前記付勢要素は、少なくとも２つの板ばねであり、前記少なくとも１つのポストは、前記板ばねの固定端部が前記少なくとも１つのポストに隣接して位置し且つ前記板ばねの自由端部が前記少なくとも１つのポストから外方に間隔をおくように、前記板ばね間に設けられる、請求項１５記載のかみそり。
【請求項１８】  前記少なくとも１つのポスト及びピンは、前記取っ手に形成され、前記少なくとも１つの切欠きは、前記髭剃りヘッドに形成される、請求項１５記載のかみそり。
【請求項１９】  前記付勢要素は、前記取っ手と前記髭剃りヘッドとの間に設けられ且つ自由端部を有する少なくとも１つの板ばねである、請求項１４記載のかみそり。
【請求項２０】  前記少なくとも１つの板ばねの自由端部は、それに形成されたカム面を有する、請求項１９記載のかみそり。
【請求項２１】  前記髭剃りヘッドは、更に、それから延びる突起を有し、前記カム面は、前記髭剃りヘッドを休止位置に付勢するように前記突起に接触する、請求項２０記載のかみそり。
【請求項２２】  前記少なくとも１つの板ばねは、各々が自由端部を備えた２つの板ばねを含み、前記板ばねの自由端部は、これらの間に隙間を形成するよう互いに間隔をおいている、請求項１９記載のかみそり。
【請求項２３】  前記少なくとも１つの板ばねは、各々が固定端部及び自由端部を備えた２つの板ばねを含み、前記板ばねの固定端部は、前記板ばねと共にＹ字形を形成するように前記取っ手に連結された部材から延びる、請求項１９記載のかみそり。
【請求項２４】  前記髭剃りヘッドは、前記取っ手に解放自在に結合される、請求項１４記載のかみそり。
【請求項２５】  長手方向軸線を有する取っ手と、
少なくとも１つの刃先を備えた少なくとも１つの刃を担持し、前記少なくとも１つの刃先と平行な横方向軸線及び前記横方向軸線と垂直な長手方向軸線を有するかみそりカートリッジと、
前記かみそりカートリッジを前記取っ手に取外し可能に結合させるために、前記取っ手と前記かみそりカートリッジとの間に設けられているコネクタ組立体と、を有し、
前記コネクタ組立体は、前記取っ手に設けられたカートリッジ係合要素と、前記かみそりカートリッジに設けられた取っ手係合要素と、を含み、前記カートリッジ係合要素及び前記取っ手係合要素の一方は、その他方に挿入可能であり、かかる挿入時、前記カートリッジ係合要素及び前記取っ手係合要素が結合され、
前記カートリッジ係合要素及び前記取っ手係合要素は、前記かみそりカートリッジが前記横方向軸線の周りでピッチング運動をなして回動すること、前記かみそりカートリッジが前記横方向軸線を前記取っ手の長手方向軸線に対して垂直に維持したまま緩衝運動をなして前記取っ手に近づいたりそれから遠ざかったりすること、及び前記かみそりカートリッジがその長手方向軸線の周りでローリング運動をなして回動することを、同時に且つ独立に可能にするように構成されていることを特徴とするかみそり。
【請求項２６】  前記かみそりカートリッジは、更に、カム面を備えた底面を有し、
前記かみそりは、更に、前記カム面に接触する付勢要素を有し、前記付勢要素は、前記ピッチング運動、前記緩衝運動及び前記ローリング運動の任意の１つを引き起こす力がいったん除かれたとき、前記かみそりカートリッジを休止位置に付勢する、請求項２５記載のかみそり。
【請求項２７】  前記付勢要素は、前記コネクタ組立体から間隔をおいている、請求項２６記載のかみそり。
【請求項２８】  前記付勢要素は、ばね負荷舌部である、請求項２６記載のかみそり。
【請求項２９】  前記カートリッジ係合要素及び前記取っ手係合要素の一方は、挿入要素であり、前記カートリッジ係合要素及び前記取っ手係合要素の他方は、前記挿入要素を受け入れるよう形作られた少なくとも１つの切欠きである、請求項２６記載のかみそり。
【請求項３０】  前記挿入要素は、ポスト及びピンを有し、前記ピンは、前記ポストから横方向に延び、前記切欠きに挿入可能に形作られる、請求項２９記載のかみそり。
【請求項３１】  前記ポスト及びピンは、第１のピンを備えた第１のポストと、第２のピンを備えた第２のポストと、を含み、
前記少なくとも１つの切欠きは、前記第１のピンを受け入れるための第１の切欠きと、前記第２のピンを受け入れるための第２の切欠きと、を含み、
前記第１のポスト及び前記第２のポストは、前記第１のピンを前記第１の切欠きに挿入したりそれから取外したりすること及び前記第２のピンを前記第２の切欠きに挿入したりそれから取外したりすることを容易にするように、互いに対して弾性的に動くことができる、請求項３０記載のかみそり。
【請求項３２】  更に、少なくとも１つのボタンを有し、前記ボタンは、その運動時、前記第１のポスト及び前記第２のポストの少なくとも一方を動かすために前記第１のポスト及び前記第２のポストの前記少なくとも一方に結合される、請求項３１記載のかみそり。
【請求項３３】  長手方向軸線を有する取っ手と、
少なくとも１つの刃先を備えた少なくとも１つの刃を担持し、前記少なくとも１つの刃先と平行な横方向軸線及び前記横方向軸線と垂直な長手方向軸線を有する髭剃りヘッドと、
前記取っ手に形成されたヘッド係合要素及び前記髭剃りヘッドに形成された取っ手係合要素を有し、前記ヘッド係合要素及び前記取っ手係合要素を互いに結合させたときに前記髭剃りヘッドを前記取っ手に可動的に結合するコネクタ組立体と、を有し、
前記ヘッド係合要素及び前記取っ手係合要素は、その一方から他方への挿入により、前記髭剃りヘッドを前記取っ手に直接結合させるように構成され、
前記ヘッド係合要素及び前記取っ手係合要素が互いに結合されたとき、前記髭剃りヘッドが前記横方向軸線の周りでピッチング運動をなして回動すること、前記髭剃りヘッドが前記横方向軸線を前記取っ手の長手方向軸線に対して垂直に維持したまま緩衝運動をなして前記取っ手に近づいたりそれから遠ざかったりすること、及び前記髭剃りヘッドがその長手方向軸線の周りでローリング運動をなして回動することを、同時に且つ独立に可能にするように、前記ヘッド係合要素及び前記取っ手係合要素は、互いに対して可動であることを特徴とするかみそり。
【請求項３４】  前記髭剃りヘッドは、更に、カム面を備えた底面を有し、
前記かみそりは、更に、前記カム面に接触する付勢要素を有し、前記付勢要素は、前記ピッチング運動、前記緩衝運動及び前記ローリング運動の任意の１つを引き起こす力がいったん除かれたとき、前記髭剃りヘッドを休止位置に付勢する、請求項３３記載のかみそり。
【請求項３５】  前記付勢要素は、前記ヘッド係合要素及び前記取っ手係合要素から間隔をおいている、請求項３４記載のかみそり。
【請求項３６】  前記ヘッド係合要素及び前記取っ手係合要素の一方は、ポストであり、このポストは、それから延びるピンを有し、前記ヘッド係合要素及び前記取っ手係合要素の他方は、切欠きであり、この切欠きは、前記ピッチング運動、前記緩衝運動及び前記ローリング運動を可能にするように前記ピンの寸法よりも大きい寸法を有する、請求項３５記載のかみそり。
【請求項３７】  長手方向軸線を有する取っ手と、
少なくとも１つの刃先を備えた少なくとも１つの刃を担持し、前記少なくとも１つの刃先と平行な横方向軸線を有する髭剃りヘッドと、
前記取っ手を前記髭剃りヘッドに可動的に結合させるコネクタ組立体と、
前記コネクタ組立体から間隔をおいた状態で前記髭剃りヘッドと前記取っ手との間に位置し、前記髭剃りヘッドを休止位置に付勢する付勢要素と、を有し、
前記コネクタ組立体は、前記髭剃りヘッドを休止位置から離脱させたり休止位置に位置させたりするように前記髭剃りヘッドを前記取っ手に近づけたりそれから遠ざけたりする第１の運動、及び、前記髭剃りヘッドを休止位置から離脱させたり休止位置に位置させたりするように前記髭剃りヘッドを前記横方向軸線と平行なピボット軸線の周りで両方向に移動させる第２の運動を、前記髭剃りヘッドが行うことを可能にし、
前記コネクタ組立体は、前記髭剃りヘッド及び前記取っ手の一方に形成された少なくとも１つの挿入要素と、前記少なくとも１つの挿入要素を受け入れるよう形作られた少なくとも１つの切欠きと、を有し、
前記切欠きは、前記第１の運動及び前記第２の運動を可能にするために、前記少なくとも１つの挿入要素の寸法よりも大きい寸法を有し、
前記挿入要素は、追加の結合要素を設けることなしに、前記切欠き内に保持されるように形作られることを特徴とするかみそり。